(57)【要約】【課題】  カーテン生地の損傷を防止しながら、昇降コードの長さの調整によりカーテン生地の下限位置を設定し得るたくし上げカーテンの昇降装置を提供する。【解決手段】  ヘッドボックス１からカーテン生地２を吊下支持し、ヘッドボックスから垂下される複数本の昇降コード３の一端部でカーテン生地の下縁を吊下支持し、昇降コードの他端部をヘッドボックス外へ案内してコードイコライザー１１を介して操作コード１２を接続し、操作コードにより昇降コードをヘッドボックスから引出し、あるいはヘッドボックス内に引き込ませてカーテン生地を昇降するたくし上げカーテンにおいて、昇降コード３の他端部を、ヘッドボックス１からカーテン生地２を挿通して該カーテン生地の前方へ案内し、ヘッドボックス１にはコードイコライザー１１の上限位置を位置決めする保持板１０を設けた。【選択図】      図３
2006280632.tif 000002
【特許請求の範囲】
【請求項１】
ヘッドボックスからカーテン生地を吊下支持し、前記ヘッドボックスから垂下される複数本の昇降コードの一端部でカーテン生地の下縁を吊下支持し、前記昇降コードの他端部を前記ヘッドボックス外へ案内してコードイコライザーを介して操作コードを接続し、前記操作コードにより前記昇降コードを前記ヘッドボックスから引出し、あるいはヘッドボックス内に引き込ませて前記カーテン生地を昇降するたくし上げカーテンにおいて、
前記昇降コードの他端部を、前記ヘッドボックスから前記カーテン生地を挿通して該カーテン生地の前方へ案内し、前記ヘッドボックスには前記コードイコライザーの上限位置を位置決めする保持板を設けたことを特徴とするたくし上げカーテンの昇降装置。
【請求項２】
前記カーテン生地の下縁は、上方へ折り返した端部を前記昇降コードで昇降可能として無端縁とし、前記昇降コードの一端部には該昇降コードの長さを調整する調整手段を備えたことを特徴とする請求項１記載のたくし上げカーテンの昇降装置。
【請求項３】
前記保持板を前記カーテン生地の後方に位置させ、該保持板に前記昇降コードを挿通したことを特徴とする請求項１又は２記載のたくし上げカーテンの昇降装置。
【請求項４】
前記保持板及びカーテン生地には、昇降コードとの摩擦を軽減する緩衝材を取着し、前記コードイコライザーは前記カーテン生地に取着した緩衝材を介して前記保持板に位置決めされることを特徴とする請求項３記載のたくし上げカーテンの昇降装置。
【請求項５】
前記調整手段は、前記昇降コードの他端部を巻き付け可能としたコードキャッチとしたことを特徴とする請求項２記載のたくし上げカーテンの昇降装置。
【請求項６】
前記保持板には、前記ヘッドボックスの下面に沿う取付片と、該取付片と前記保持板との間の角度を一定に維持する補強片とを備えたことを特徴とする請求項１乃至５のいずれか１項に記載のたくし上げカーテンの昇降装置。
【発明の詳細な説明】
【技術分野】
【０００１】
この発明は、昇降コードの操作により、カーテン生地の下縁部を昇降するたくし上げカーテンに関するものである。
【背景技術】
【０００２】
たくし上げカーテンは、ヘッドボックスの前面からカーテン生地が吊下支持されるとともに、カーテン生地の後方でヘッドボックスから垂下される複数本の昇降コードでカーテン生地の下端部を昇降することにより、カーテン生地を窓面に沿って昇降可能となっている。
【０００３】
このようなたくし上げカーテンの昇降装置の一種類として、複数本の昇降コードの端部をヘッドボックスの一端から引き出すことによりカーテン生地の引き上げ操作を行い、カーテン生地の重量を利用して昇降コードをヘッドボックス内に引き込ませることにより、カーテン生地の下降操作を行うものがある。
【０００４】
この昇降装置では、ヘッドボックス外において昇降コードの端部がコードイコライザーを介して操作コードに接続され、コードイコライザーがヘッドボックスに当接するとき、昇降コードはスクリーン下降方向にそれ以上移動不能である。従って、コードイコライザーに対する昇降コードの接続位置を調節して昇降コードの長さを調節することにより、カーテン生地の下限位置を調整可能である。
【０００５】
しかし、カーテン生地を昇降操作するために、操作コードをカーテン生地の中央部に向かって斜めに引くと、操作コードがカーテン生地の側縁に干渉するため、操作コードを繰り返し操作すると、カーテン生地が損傷する。
【０００６】
また、別の昇降装置では、カーテン生地にハトメを取着し、複数本の昇降コードの端部をカーテン生地の後方からハトメに挿通し、カーテン生地の前方においてコードイコライザーを介して操作コードが接続されている。そして、操作コードを操作して昇降コードをヘッドボックスからハトメを介してカーテン生地の前方に引き出すと、カーテン生地が引き上げられ、昇降コードをハトメを介してヘッドボックス内に引き込ませると、カーテン生地が下降する。
【０００７】
この昇降装置では、コードイコライザーがハトメに当接するまで昇降コードを引き込ませてもカーテン生地が撓んでコードイコライザーが位置決めされないため、昇降コードの長さの調整によりカーテン生地の下限位置を決定することは困難である。従って、カーテン生地の下限はカーテン生地自身の丈により設定される。
【０００８】
特許文献１には、操作コードの操作により、カーテン裾部の形状を多様に変化させることができる装飾カーテンの昇降装置が開示されている。
【特許文献１】特開２０００−１１６５０２号公報
【発明の開示】
【発明が解決しようとする課題】
【０００９】
上記のようにヘッドボックスの端部から昇降コードを引き出す昇降装置では、カーテン生地の昇降操作時に、カーテン生地の側縁が損傷し易いという問題点がある。
また、昇降コードをハトメから引き出す昇降装置では、昇降コードの長さの調整によりカーテン生地の下限位置を設定することは困難である。
【００１０】
この発明の目的は、カーテン生地の損傷を防止しながら、昇降コードの長さの調整によりカーテン生地の下限位置を設定し得るたくし上げカーテンの昇降装置を提供することにある。
【課題を解決するための手段】
【００１１】
請求項１では、ヘッドボックスからカーテン生地を吊下支持し、前記ヘッドボックスから垂下される複数本の昇降コードの一端部でカーテン生地の下縁を吊下支持し、前記昇降コードの他端部を前記ヘッドボックス外へ案内してコードイコライザーを介して操作コードを接続し、前記操作コードにより前記昇降コードを前記ヘッドボックスから引出し、あるいはヘッドボックス内に引き込ませて前記カーテン生地を昇降するたくし上げカーテンにおいて、前記昇降コードの他端部を、前記ヘッドボックスから前記カーテン生地を挿通して該カーテン生地の前方へ案内し、前記ヘッドボックスには前記コードイコライザーの上限位置を位置決めする保持板を設けた。
【００１２】
請求項２では、前記カーテン生地の下縁は、上方へ折り返した端部を前記昇降コードで昇降可能として無端縁とし、前記昇降コードの一端部には該昇降コードの長さを調整する調整手段を備えた。
【００１３】
請求項３では、前記保持板を前記カーテン生地の後方に位置させ、該保持板に前記昇降コードを挿通した。
請求項４では、前記保持板及びカーテン生地には、昇降コードとの摩擦を軽減する緩衝材を取着し、前記コードイコライザーは前記カーテン生地に取着した緩衝材を介して前記保持板に位置決めされる。
【００１４】
請求項５では、前記調整手段は、前記昇降コードの他端部を巻き付け可能としたコードキャッチとした。
請求項６では、前記保持板には、前記ヘッドボックスの下面に沿う取付片と、該取付片と前記保持板との間の角度を一定に維持する補強片とを備えた。
【発明の効果】
【００１５】
本発明によれば、カーテン生地の損傷を防止しながら、昇降コードの長さの調整によりカーテン生地の下限位置を設定し得るたくし上げカーテンの昇降装置を提供することができる。
【発明を実施するための最良の形態】
【００１６】
以下、この発明を具体化した一実施の形態を図面に従って説明する。図１及び図２に示すたくし上げカーテンは、ヘッドボックス１の前面から経木すだれにてなるカーテン生地２が垂下されている。前記カーテン生地２の後方において、前記ヘッドボックス１から複数本の昇降コード３の一端が垂下され、その昇降コード３の一端にコードキャッチ４がそれぞれ取着されている。また、コードキャッチ４は昇降コード３の一端部を巻き付け可能であり、昇降コード３の長さを調整する調整手段としての機能を備えている。
【００１７】
前記コードキャッチ４の前面にはフック５が設けられ、前記カーテン生地２の下縁の複数箇所には掛止めリング６が取着されている。そして、その掛止めリング６が前記フック５にそれぞれ吊下支持されている。
【００１８】
前記昇降コード３の他端側は、それぞれコードガイド７を介してヘッドボックス１の一端側へ案内され、ストッパー装置８及びコードガイド９を経て、ヘッドボックス１の下方に案内される。そして、ヘッドボックス１の一端部において、同ヘッドボックス１の前面から下方に向かって延びる保持板１０に挿通され、さらに前記カーテン生地２に挿通されてカーテン生地２の前方に案内されて、コードイコライザー１１に接続されている。
【００１９】
前記コードイコライザー１１には、操作コード１２の一端が接続され、その操作コード１２の他端は前記掛止めリング６に接続されている。
前記保持板１０は金属板で形成され、図４に示すように、その上部に直角に折り曲げられた取付片１７が形成され、その取付片１７にはヘッドボックス１に対し位置決めするための係止片１８が４箇所形成されている。そして、取付片１７をヘッドボックス１の下面にあてがった状態で、同取付片１７の両端部がヘッドボックス１にビス止めされる。
【００２０】
また、保持板１０の上部両側には、前記取付片１７側に向かって直角に折り曲げられた補強片１９が設けられている。そして、その補強片１９が取付片１７の下面に当接することにより、保持板１０が取付片１７側に曲がらないように補強されている。
【００２１】
前記保持板１０の下部に前記昇降コード３を挿通可能とした透孔が形成され、その透孔の周縁部に昇降コード３との摩擦を軽減する環状の緩衝材１３が嵌着されている。
また、前記カーテン生地２には前記昇降コード３を挿通するための挿通孔が前記保持板１０の透孔に対応する位置に設けられ、その挿通孔に前記緩衝材１３と同様な緩衝材１４が嵌着されている。
【００２２】
前記緩衝材１４，１３は、前記昇降コード３のみを挿通可能である。従って、前記コードイコライザー１１は緩衝材１４に当接すると、保持板１０に位置決めされた状態となり、上方へのそれ以上の移動はできないようになっている。
【００２３】
そして、コードイコライザー１１が緩衝材１４に当接する状態では、図２に示すように、カーテン生地２の下端部が上方へ折り返された状態で無端状に吊下支持されるように、昇降コード３の長さが調整されている。
【００２４】
前記ヘッドボックス１の前面には、カバープレート１５を介してバランス１６が取着されている。このバランス１６は、カーテン生地２と同材質で形成され、前記ヘッドボックス１の前面及び前記保持板１０等が、室内側からの視界から遮られている。
【００２５】
さて、上記のように構成されたたくし上げカーテンを引き上げるには、操作コード１２を操作して昇降コード３の他端部をヘッドボックス１から引き出す。すると、図３に示すように、カーテン生地２の後方で昇降コード３の一端部が引き上げられ、カーテン生地２の端部が引き上げられて、カーテン生地２の無端状の下縁が上昇する。
【００２６】
カーテン生地２を所望位置まで引き上げた後、操作コード１２を手放せば、ストッパー装置８の動作により、カーテン生地２の自重降下が阻止される。従って、カーテン生地２が所望位置に吊下支持される。
【００２７】
また、操作コード１２の操作により、ストッパー装置８の動作を解除すると、カーテン生地２の自重による下降が可能となり、昇降コード３の他端部をヘッドボックス１内に引き込ませれば、カーテン生地２の無端縁が下降する。そして、再びストッパー装置８を作動させれば、カーテン生地２が所望位置に吊下支持される。
【００２８】
図２に示すように、コードイコライザー１１が保持板１０に当接すると、昇降コード３の他端部をそれ以上ヘッドボックス１内に引き込ませることはできない。従って、この状態ではカーテン生地２が下限まで下降した状態となる。
【００２９】
上記のように構成されたたくし上げカーテンでは、次に示す作用効果を得ることができる。
（１）カーテン生地２の昇降操作時に、操作コード１２をカーテン生地２の前方で操作して、カーテン生地２の側縁との干渉を防止することができる。従って、カーテン生地２の昇降操作にともなう損傷を防止することができる。
（２）コードイコライザー１１を位置決めする保持板を１０を設けたので、コードイコライザー１１が保持板１０に位置決めされたとき、カーテン生地２が下限まで下降した状態となる。従って、昇降コード３の長さを調整することにより、カーテン生地２の下限位置を調整可能である。
（３）カーテン生地２の下端部を無端状に吊下支持するたくし上げカーテンでは、カーテン生地２の伸びが生じると、図２に鎖線で示すように、カーテン生地２の下限位置が下がってしまう。また、カーテン生地２が縮んだ場合には、下限位置が上昇する。このような場合には、昇降コード３の一端部をコードキャッチ４に巻き付け、あるいは巻き戻して長さを調整することにより、カーテン生地２の下限を微調整することができる。
（４）保持板１０に設けた補強片１９により、カーテン生地２を下限まで下降させたとき、カーテン生地２等の重量がコードイコライザー１１を介して保持板１０に作用しても、保持板１０と取付片１７との角度を直角に維持して、保持板１０の曲がりを防止することができる。
（５）保持板１０及びカーテン生地２に取着した緩衝材に１３，１４により、昇降コード３の操作を円滑に行うことができる。
【図面の簡単な説明】
【００３０】
【図１】たくし上げカーテンを示す正面図である。
【図２】たくし上げカーテンを示す側面図である。
【図３】たくし上げカーテンを示す側面図である。
【図４】保持板を示す斜視図である。
【符号の説明】
【００３１】
１…ヘッドボックス、２…カーテン生地、３…昇降コード、４…調整手段（コードキャッチ）、１０…保持板、１１…コードイコライザー、１２…操作コード。
【図１】
2006280632.tif 000003
【図２】
2006280632.tif 000004
【図３】
2006280632.tif 000005
【図４】
2006280632.tif 000006